(57)【要約】【課題】設計自由度が高く製造コストを軽減可能なＬＣＤシステムとＬＣＤシステムの仕様に応じて柔軟な対応が可能となり、在庫リスクを軽減することができるバックライト駆動モジュールを提供する。【解決手段】バックライト駆動モジュール２２はＬＣＤ装置１から独立して配置されている。バックライト駆動モジュール２２は、ＬＣＤ装置の形式に応じて変えることができる最大バックライト電流制御信号を生成する。【選択図】図１
0003192960.tif 000002
【実用新案登録請求の範囲】
【請求項１】
バックライトオン制御信号を生成するビデオ処理モジュールと発光ダイオード（ＬＥＤ）バックライトモジュールとを備えている液晶表示（ＬＣＤ）装置の前記ＬＥＤバックライトモジュールを駆動するバックライト駆動信号を生成するようになっているものであって、
変化可能な最大バックライト電流制御信号を生成する復号回路と、
前記最大バックライト電流制御信号と前記バックライトオン制御信号を受信するように前記復号回路と前記ビデオ処理モジュールとに接続され、前記最大バックライト電流制御信号と前記バックライトオン制御信号とに基づいて前記バックライト駆動信号を生成することによって、前記バックライトオン制御信号により前記ＬＥＤバックライトモジュールに提供されるか否かが判定されるバックライト電流出力と、前記最大バックライト電流制御信号に関連する前記バックライト電流出力の電流最大値とを出力する駆動回路とを、
備えていることを特徴とするバックライト駆動モジュール。
【請求項２】
前記バックライトオン制御信号は第１の電圧と第２の電圧とに変換され、
前記復号回路は、前記ビデオ処理モジュールから前記バックライトオン制御信号を受信するように設けられ、
前記復号回路は、前記第２の電圧を少なくとも１つの参照電圧と比較し、該比較による結果によって前記最大バックライト電流制御信号を生成する比較ユニットを有することを特徴とする請求項１に記載のバックライト駆動モジュール。
【請求項３】
前記バックライトオン制御信号は、設定期間の間に所定のパルス数を有するパルスを含み、
前記復号回路は、前記ビデオ処理モジュールから前記バックライトオン制御信号を受信するように設けられ、
前記復号回路は、前記設定期間に前記バックライトオン制御信号の前記パルス数を検出し、該検出による結果によって前記最大バックライト電流制御信号を生成するパルス数検出器を有することを特徴とする請求項１に記載のバックライト駆動モジュール。
【請求項４】
前記バックライトオン制御信号には、設定期間の間に所定の幅を有するパルスを含み、
前記復号回路は、前記ビデオ処理モジュールから前記バックライトオン制御信号を受信するように設けられ、
前記復号回路は、前記設定期間に前記バックライトオン制御信号の前記パルスの前記幅を検出し、該検出による結果によって前記最大バックライト電流制御信号を生成するパルス幅検出器を有することを特徴とする請求項１に記載のバックライト駆動モジュール。
【請求項５】
前記ビデオ処理モジュールは、所定電圧を有する最大バックライト輝度制御信号を更に生成し、
前記復号回路は、前記ビデオ処理モジュールから前記最大バックライト輝度制御信号を受信するように設けられ、
前記復号回路は、前記最大バックライト輝度制御信号の前記所定電圧を少なくとも１つの参照電圧と比較し、該比較による結果によって前記最大バックライト電流制御信号を生成する比較ユニットを有することを特徴とする請求項１に記載のバックライト駆動モジュール。
【請求項６】
前記ビデオ処理モジュールは、所定のパルス数を有するパルスを含む最大バックライト輝度制御信号を更に生成し、
前記復号回路は、前記ビデオ処理モジュールから前記最大バックライト輝度制御信号を受信するように設けられ、
前記復号回路は、前記最大バックライト輝度制御信号の前記パルスの前記パルス数を検出し、該検出による結果によって前記最大バックライト電流制御信号を生成するパルス数検出器を有することを特徴とする請求項１に記載のバックライト駆動モジュール。
【請求項７】
前記ビデオ処理モジュールは、所定の幅を有するパルスを含む最大バックライト輝度制御信号を更に生成し、
前記復号回路は、前記ビデオ処理モジュールから前記最大バックライト輝度制御信号を受信するように設けられ、
前記復号回路は、前記最大バックライト輝度制御信号の前記パルスの前記幅を検出し、該検出による結果によって前記最大バックライト電流制御信号を生成するパルス幅検出器を有することを特徴とする請求項１に記載のバックライト駆動モジュール。
【考案の詳細な説明】
【技術分野】
【０００１】
本考案は、液晶表示（ｌｉｑｕｉｄ  ｃｒｙｓｔａｌ  ｄｉｓｐｌａｙ／ＬＣＤ）技術に関し、より詳しくは、ＬＣＤ装置に用いられるバックライト駆動モジュールに関する。
【背景技術】
【０００２】
従来より、バックライト駆動モジュールが内蔵されたＬＥＤバックライト付液晶表示装置が既に用いられている（例えば特許文献１参照）。従来の液晶表示装置はＬＥＤを用いて輝度が高く、安定した発光を得ることができる。
【先行技術文献】
【特許文献】
【０００３】
【特許文献１】米国特許第８２９４６６０号明細書
【考案の概要】
【考案が解決しようとする課題】
【０００４】
従来の液晶表示（ＬＣＤ）装置は、薄型化によって場所を取らず洗練されたデザイン感を現しているが、装置設計の自由度が低く、また、薄型化につれて製造コストが上昇する問題点がある。また、バックライト駆動モジュールはＬＣＤ装置に組み込まれており、壊れると、修理コストが掛る。その一方、ユーザーの要求に応えようとすると、サイズや型番などＬＥＤバックライト液晶表示装置の仕様が多くなり、多種多様なバックライト駆動モジュールを用意しておかなければならないため、在庫リスクをきたしコストが高くつく問題点もある。また、ＬＣＤ装置の形式は、ＬＣＤパネルのサイズや型番などによって異なるものであって、メーカーによってパネルサイズなどが異なるようにＬＣＤパネルが製造されることは言うまでもない。
【０００５】
本考案は、上記問題点に鑑みてなされたものであり、ＬＣＤ装置の仕様に応じて柔軟な対応が可能となり、在庫リスクを軽減することができるバックライト駆動モジュールを提供することを目的とする。
【課題を解決するための手段】
【０００６】
上記目的を達成するために、本考案は、バックライトオン制御信号を生成するビデオ処理モジュールと発光ダイオード（ＬＥＤ）バックライトモジュールとを備えている液晶表示（ＬＣＤ）装置の前記ＬＥＤバックライトモジュールを駆動するバックライト駆動信号を生成するようになっているものであって、変化可能な最大バックライト電流制御信号を生成する復号回路と、前記最大バックライト電流制御信号と前記バックライトオン制御信号を受信するように前記復号回路と前記ビデオ処理モジュールとに接続され、前記最大バックライト電流制御信号と前記バックライトオン制御信号とに基づいて前記バックライト駆動信号を生成することによって、前記バックライトオン制御信号により前記ＬＥＤバックライトモジュールに提供されるか否かが判定されるバックライト電流出力と、前記最大バックライト電流制御信号に関連する前記バックライト電流出力の電流最大値とを出力する駆動回路とを、備えていることを特徴とするバックライト駆動モジュールを提供する。
【考案の効果】
【０００７】
バックライト駆動モジュールをＬＣＤ装置の外部に配置していることによって、バックライト駆動モジュールはＬＣＤ装置から独立して配置されることができるので、ＬＣＤ装置の設計自由度が高い。バックライト駆動モジュールは、ＬＣＤ装置の形式に応じてバックライト電流出力の最大値を変えることができるので、ＬＣＤ装置の形式が異なってもバックライト駆動モジュールを交換せずに用いることができ、在庫リスクを軽減することができる。
【図面の簡単な説明】
【０００８】
【図１】本考案の第１の実施例に係るＬＣＤシステムの構成を概略的に示す機能ブロック図である。
【図２】第１の実施例においてバックライトオン（ＯＮ）制御信号のタイミングチャートを示す図である。
【図３】第１の実施例のバックライト駆動モジュールの構成を示す機能ブロック図である。
【図４】本考案の第２の実施例に係るＬＣＤシステムによるバックライトオン制御信号のタイミングチャートを示す図である。
【図５】第２の実施例のバックライト駆動モジュールの構成を示す機能ブロック図である。
【図６】本考案の第３の実施例に係るＬＣＤシステムによるバックライトオン制御信号のタイミングチャートを示す図である。
【図７】第３の実施例のバックライト駆動モジュールの構成を示す機能ブロック図である。
【図８】本考案の第４の実施例に係るＬＣＤシステムによるバックライトオン制御信号及び最大輝度制御信号のタイミングチャートを示す図である。
【図９】第４の実施例のバックライト駆動モジュールの構成を示す機能ブロック図である。
【図１０】本考案の第５の実施例に係るＬＣＤシステムによるバックライトオン制御信号及び最大輝度制御信号のタイミングチャートを示す図である。
【図１１】第５の実施例のバックライト駆動モジュールの構成を示す機能ブロック図である。
【図１２】本考案の第６の実施例に係るＬＣＤシステムによるバックライトオン制御信号及び最大輝度制御信号のタイミングチャートを示す図である。
【図１３】第６の実施例のバックライト駆動モジュールの構成を示す機能ブロック図である。
【図１４】本考案の第７の実施例に係るＬＣＤシステムの構成を概略的に示す機能ブロック図である。
【考案を実施するための形態】
【０００９】
以下、本願考案のいくつかの実施例につき、図面を参照して具体的に説明する。
【００１０】
（第１の実施例）
第１の実施例に係るＬＣＤシステムは、図１〜図３に示すように、液晶表示（ＬＣＤ）装置１と、ＡＣアダプター２とを備えている。ＬＣＤ装置１は、例えばモニター或いはＴＶ装置であり、ビデオ処理モジュール１１と、発光ダイオード（ＬＥＤ）バックライトモジュール１２と、例えばＬＣＤパネルなどの他の必要な構成素子とを有する。ＡＣアダプター２は、ＬＣＤ装置１とから独立して設けられ、ＡＣ／ＤＣ変換モジュール２１と、バックライト駆動モジュール２２とを有する。
【００１１】
ビデオ処理モジュール１１は、省電力制御信号、バックライトオン制御信号及び調光信号を生成する。バックライトオン制御信号は、ＬＣＤ装置１の形式に応じて第１の電圧Ｖ１と第２の電圧Ｖ２とに切り替える。
【００１２】
ＡＣ／ＤＣ変換モジュール２１は、ＡＣ線間電圧が入力されると共にビデオ処理モジュール１１から省電力制御信号が受信されるように、ビデオ処理モジュール１１及びバックライト駆動モジュール２２に接続されている。ＡＣ／ＤＣ変換モジュール２１は、ＡＣ線間電圧を第１のＤＣ電圧、第２のＤＣ電圧又は第３のＤＣ電圧に変換し、第１のＤＣ電圧と第２のＤＣ電圧をビデオ処理モジュール１１とバックライト駆動モジュール２２とにそれぞれ電力を供給するように出力し、また、省電力制御信号に基づいて第３のＤＣ電圧を選択的にビデオ処理モジュール１１に電力を供給するように出力する。なお、この例では、第１のＤＣ電圧を例えば５Ｖ、第２のＤＣ電圧を例えば３２Ｖ、第３のＤＣ電圧を１２Ｖとする。電力の節減を行うか否かを切り替えるために、一例として、省電力制御信号のロジックレベルを、ハイ（Ｈｉｇｈ）電圧とロー（Ｌｏｗ）電圧とに切り替える。例えば、省電力制御信号をハイ電圧に切り替えた場合、ＡＣ／ＤＣ変換モジュール２１から第３のＤＣ電圧を出力し、省電力制御信号をロー電圧に切り替えた場合、ＡＣ／ＤＣ変換モジュール２１から第３のＤＣ電圧を出力しない。
【００１３】
バックライト駆動モジュール２２は、復号回路２２１と駆動回路２２２とを有する。復号回路２２１は、バックライトオン制御信号を受信するようにビデオ処理モジュール１１に接続されるようになっており、バックライトオン制御信号における第２の電圧Ｖ２を少なくとも１つの参照電圧と比較し、該比較による結果を基準にして、ＬＣＤ装置１の形式と関連付ける最大バックライト電流制御信号を生成する比較ユニット２２１１を有する。このように、最大バックライト電流制御信号はバックライトオン制御信号の第２の電圧Ｖ２によって変わる、言い換えれば、ＬＣＤ装置１の形式によって変わる。駆動回路２２２は復号回路２２１に接続されていると共に、ビデオ処理モジュール１１とＬＥＤバックライトモジュール１２とに接続され、復号回路２２１から最大バックライト電流制御信号を受信し、ビデオ処理モジュール１１からバックライトオン制御信号及び調光制御信号を受信する。
【００１４】
駆動回路２２２は、最大バックライト電流制御信号、バックライトオン制御信号及び調光制御信号に基づいてバックライト駆動信号を生成し、ＬＥＤバックライトモジュール１２を駆動するように出力することによって、バックライトオン制御信号によりＬＥＤバックライトモジュール１２に提供されるか否かが判定されるバックライト電流出力と、最大バックライト電流制御信号に関連するバックライト電流出力の電流最大値（Ｉｍａｘ）と、調光制御信号に関連するバックライト電流出力の電流平均値とを出力する。
【００１５】
なお、この実施例では、第２の電圧Ｖ２は、ＬＣＤ装置の形式によって２Ｖ、３．５Ｖ、５Ｖであり、参照電圧は３Ｖ、４Ｖを含む。バックライトオン制御信号が第１の電圧Ｖ１である場合、ＬＥＤバックライトモジュール１２に与えるバックライト電流出力を生成しないと共に、ＬＥＤバックライトモジュール１２に電流が流れない。
【００１６】
バックライト制御信号が第２の電圧Ｖ２である場合、電流最大値Ｉｍａｘとゼロとの間に脈動を生じるバックライト電流出力をＬＥＤバックライトモジュール１２に出力し、ＬＥＤバックライトモジュール１２を駆動する。なお、電流最大値Ｉｍａｘとは、第２の電圧Ｖ２を２つの参照電圧３Ｖ、４Ｖと比較した結果によって式１で決まる。バックライト電流出力とは、調光制御信号に関連するデューティー比を有するように変調されたパルス幅である。
【００１７】
【数１】
0003192960.tif 000003
【００１８】
なお、復号回路２２１と駆動回路２２２の制御論理とは一つの集積回路に組み合わせてなってもよく、又はいくつかの集積回路にしてもよいことに留意されたい。例えば復号回路と駆動回路２２２の制御論理を一つの集積回路に組み立ててなってもよく、又は、駆動回路２２２の制御論理を他の集積回路に組み立てた場合、復号回路２２１を他の集積回路に組み立ててもよい。また、他の例として、ＡＣアダプター２の代わりに、バックライト駆動モジュール２２をＬＣＤ装置１に設けてもよい。
【００１９】
上記のように構成されたＬＣＤシステムによる利点を、以下に述べる。
【００２０】
バックライト駆動モジュール２２をＬＣＤ装置１の外部に配置しているので、バックライト駆動モジュール１はＬＣＤ装置から独立して配置されることができる。従って、ＬＣＤ装置１の設計自由度が従来のＬＥＤバックライトＬＣＤ装置と比べて高い。とりわけ、ＬＣＤ装置１の製造コストは従来のＬＥＤバックライトＬＣＤ装置と比べて高くならずに済む。
【００２１】
また、バックライト駆動モジュール２２はＬＣＤ装置１の外部に配置されているので、ＡＣアダプター２が損壊した場合、ＬＣＤ装置１を分解することなくＡＣアダプター２だけを交換してよい。従って、ＬＣＤ装置１の補修費用は従来のＬＣＤ装置と比べて高くならずに済む。
【００２２】
また、バックライト駆動モジュール２２は、ＬＣＤ装置１の形式に応じてバックライト電流出力の最大値Ｉｍａｘを変えることができるので、ＬＣＤ装置１の形式が異なっても同一のバックライトモジュール２２を用いることができる。
【００２３】
（第２の実施例）
図１、図４と図５には、本考案に係る第２の実施例のＬＣＤシステムを示している。第２の実施例に係るＬＣＤシステムは第１の実施例の変形例であって、第２の電圧Ｖ２の代わりに、設定期間Ｔｓの間、バックライトオン制御信号が予定数Ｎ（Ｎ≧１）のパルスを含む点で異なり、予定数ＮはＬＣＤ装置１の形式に関連する。また、復号回路２２１には、図５に示されているように、比較ユニット２２１１の代わりに、パルス数検出器２２１２を有する。
【００２４】
パルス数検出器２２１２は、設定期間Ｔｓ内にバックライトオン制御信号のパルスのパルス数Ｎを検出し、該検出による結果に応じて最大バックライト電流制御信号をＬＣＤ装置１の形式に関連する最大バックライト電流制御信号として生成する。例えば、バックライトオン制御信号のパルス数が３、５又は７である場合のバックライト電流出力の最大値Ｉｍａｘを式２で表す。
【００２５】
【数２】
0003192960.tif 000004
【００２６】
（第３の実施例）
図１、図６と図７には、本考案に係る第３の実施例のＬＣＤシステムを示している。第３の実施例に係るＬＣＤシステムは第１の実施例の変形例であって、第２の電圧Ｖ２の代わりに、バックライトオン制御信号が所定のパルス幅Ｔｐのパルスを設定期間Ｔｓの間含む点で異なり、パルス幅ＴｐはＬＣＤ装置１の形式に関連する。また、復号回路２２１は図７に示されているように、比較ユニット２２１１の代わりにパルス幅検出器２２１３を有する。
【００２７】
パルス幅検出器２２１３は、設定期間Ｔｓ内にバックライトオン制御信号のパルスのパルス幅Ｔｐを検出し、該検出による結果に応じて最大バックライト電流制御信号をＬＣＤ装置１形式に関連する最大バックライト電流制御信号として生成する。例えば、バックライトオン制御信号のパルス幅Ｔｐが１ｍｓ、２ｍｓ又は３ｍｓである場合のバックライト電流出力の最大値Ｉｍａｘを式３で表す。
【００２８】
【数３】
0003192960.tif 000005
【００２９】
バックライトオン制御信号は、他例として、図２、図４又は図６に示された組み合わせを除いて他の組み合わせでもよいが、復号回路２２１が比較ユニット２２１１（図３参照）とパルス数検出器２２１２（図５参照）とパルス幅検出器２２１３とを有する構成としてもよい。
【００３０】
（第４の実施例）
図１、図８と図９には、本考案に係る第４の実施例のＬＣＤシステムを示している。第４の実施例に係るＬＣＤシステムは第１の実施例の変形例であって、ビデオ処理モジュール１１は、ＬＣＤ装置１の形式に関連する予定電圧Ｖ３を第２の電圧Ｖ２の代わりとして有する最大バックライト輝度制御信号を更に生成する。また、復号回路２２１は、ビデオ処置モジュール１１から最大バックライト輝度制御信号をバックライトオン制御信号の代わりとして受信し、比較ユニット２２１１によって最大バックライト輝度制御信号の所定電圧Ｖ３を少なくとも１つの参照電圧と比較し、比較の結果に応じて、最大バックライト電流制御信号をＬＣＤ装置１の形式に関連する最大バックライト電流制御信号として生成する。最大バックライト電流制御信号は、所定電圧Ｖ３つまりＬＣＤ装置１の形式に基づいて変化される。
【００３１】
例えば、最大バックライト輝度制御信号の所定電圧Ｖ３が２Ｖ、３．５Ｖ又は５Ｖである場合のバックライト電流出力の最大値Ｉｍａｘを式４で表す。
【００３２】
【数４】
0003192960.tif 000006
【００３３】
（第５の実施例）
図１、図１０と図１１には、本考案に係る第５の実施例のＬＣＤシステムを示している。第５の実施例に係るＬＣＤシステムは第４の実施例の変形例であって、最大バックライト輝度制御信号が予定数Ｎ（Ｎ≧１）のパルスを含む点で異なり、予定数ＮはＬＣＤ装置１の形式に関連する。また、復号回路２２１は、パルス数検出器２２１２（図１１参照）を、比較ユニット２２１１の代わりとして有する。パルス数検出器２２１２は、最大輝度制御信号のパルス数Ｎを検出し、該検出による結果を参照して最大バックライト電流制御信号をＬＣＤ装置１の形式に関連する最大バックライト電流制御信号として生成する。
【００３４】
例えば、最大バックライト輝度制御信号のパルス数Ｎが３、５又は７である場合のバックライト電流出力の最大値Ｉｍａｘを上記に示された式２で表す。
【００３５】
（第６の実施例）
図１と図１２と図１３には、本考案に係る第６の実施例のＬＣＤシステムを示している。第６の実施例に係るＬＣＤシステムは第４の実施例の変形例であって、最大バックライト輝度制御信号が所定のパルス幅Ｔｐのパルスを含む点で異なり、パルス幅ＴｐはＬＣＤ装置１の形式に関連する。また、復号回路２２１は、パルス幅検出器２２１３（図１３参照）を比較ユニット２２１１の代わりとして有する。パルス幅検出器２２１３は、最大バックライト輝度制御信号のパルス幅Ｔｐを検出し、該検出による結果に基づいて最大バックライト電流制御信号を、ＬＣＤ装置１による最大バックライト電流制御信号として生成する。
【００３６】
例えば、最大バックライト輝度制御信号のパルス幅Ｔｐが１ｍｓ、２ｍｓ又は３ｍｓである場合のバックライト電流出力の最大値Ｉｍａｘを上記のように式３で表す。
【００３７】
ここで、他例として、最大バックライト輝度制御信号は図８、図１０と図１２に示されている最大バックライト輝度制御信号の組み合わせのいずれかであってよく、復号回路２２１は比較ユニット２２１１（図９参照）と、パルス数検出器２２１２（図１１参照）、とパルス幅検出器２２１３との対応する組み合わせを有してもよいことに注意されたい。
【００３８】
（第７の実施例）
図１４には、本考案に係るＬＣＤシステムの第７の実施例の構成を示している。第７実施例に係るＬＣＤシステムは第１の実施例の変形例であって、第１の実施例に係る構成の他、ＡＣ／ＤＣ変換モジュール２１とビデオ処理モジュール１１とに接続されたＤＣ／ＤＣ変換モジュール１３を更に有する。
【００３９】
ＡＣ／ＤＣ変換モジュール２１は、ＡＣ線間電圧を第１のＤＣ電圧と第２のＤＣ電圧とに変換し、第１のＤＣ電圧と第２のＤＣ電圧とをそれぞれビデオ処理モジュール１１及びバックライト駆動モジュール２２に電力を供給するように出力する。なお、第１のＤＣ電圧は例えば、１２Ｖであり、第２のＤＣ電圧は例えば３２Ｖである。
【００４０】
ＤＣ／ＤＣ変換モジュール１３は、ＡＣ／ＤＣ変換モジュール２１からの第１のＤＣ電圧を第３のＤＣ電圧に変換し、ビデオ処理モジュール１１に電力を供給するように出力する。なお、第３のＤＣ電圧は例えば５Ｖである。また、ビデオ処理モジュール１１は省電力制御信号を生成しないと共に、ＡＣ／ＤＣ変換モジュール２１に出力しない。
【符号の説明】
【００４１】
１  液晶表示（ＬＣＤ）装置
１１  ビデオ処理モジュール
１２  発光ダイオード（ＬＥＤ）バックライトモジュール
１３  ＤＣ／ＤＣ変換モジュール
２  ＡＣアダプター
２１  ＡＣ／ＤＣ変換モジュール
２２  バックライト駆動モジュール
２２１  復号回路
２２１１  比較ユニット
２２１２  パルス数検出器
２２１３  パルス幅検出器
２２２  駆動回路
Ｖ１  第１の電圧
Ｖ２  第２の電圧
【図１】
0003192960.tif 000007
【図２】
0003192960.tif 000008
【図３】
0003192960.tif 000009
【図４】
0003192960.tif 000010
【図５】
0003192960.tif 000011
【図６】
0003192960.tif 000012
【図７】
0003192960.tif 000013
【図８】
0003192960.tif 000014
【図９】
0003192960.tif 000015
【図１０】
0003192960.tif 000016
【図１１】
0003192960.tif 000017
【図１２】
0003192960.tif 000018
【図１３】
0003192960.tif 000019
【図１４】
0003192960.tif 000020